(57)【要約】【課題】前眼部観察と眼底観察が切換わっても、被検者が固視目標を見失うことのない眼科装置を得る。【解決手段】眼底観察時の被検眼に対する眼底固視目標像１８ａ’を前眼部観察時の固視目標像と同じ位置に提示する。これにより、被検眼は前眼部観察時の固視目標像から、眼底観察時の固視目標像１８ａ’に切換わっても、固視目標像を見失うことがない。そのため、視線が変化せず、被検眼に対する位置合わせを再度し直す必要がなく、撮影時間の短縮や操作の煩わしさを軽減することができる。【選択図】  図７
2007275160.tif 000002
【特許請求の範囲】
【請求項１】
光源から発した光束を被検眼の眼底に導く照明光学系と、該照明光学系により照明した眼底を少なくとも対物レンズを介して観察撮影する観察撮影光学系と、被検眼の前眼部観察時に前記対物レンズの後方の光路上に挿入する観察位置変更光学系と、被検眼が左眼か右眼かを検知する左右眼検知手段と、装置の制御を行う制御手段とを有する眼科装置において、前記観察位置変更光学系中に設けた少なくとも左眼用右眼用を含む複数の前眼部観察時用固視目標を選択的に提示可能な前眼部固視目標提示手段と、前記観察位置変更光学系が光路から離脱した際に被検眼の眼底の複数の位置に眼底観察時用固視目標を投影する眼底固視目標投影手段とを有し、前記制御手段は、前記左右眼検知手段の検知結果に応じて、前眼部観察時に前記前眼部観察時用固視目標を選択して被検眼に提示し、眼底観察時に前記選択した前眼部観察時用固視目標と光学的に略同位置に前記眼底観察時用固視目標を被検眼に提示することを特徴とする眼科装置。
【請求項２】
撮影部位選択手段を有し、前記制御手段は、前記左右眼検知手段の検知結果と前記撮影部位選択手段の選択結果とに応じて、前記複数の前記前眼部観察時用固視目標の中の１つを選択することを特徴とする請求項１に記載の眼科装置。
【請求項３】
前記前眼部観察時用固視目標は光学部材の一部を側方から照射する光束を乱反射させることにより発光させることを特徴とする請求項１に記載の眼科装置。
【請求項４】
前記眼底観察時用固視目標は固定の発光素子を発光させることを特徴とする請求項１に記載の眼科装置。
【発明の詳細な説明】
【技術分野】
【０００１】
本発明は、眼科医院等において被検眼の眼底撮影等に使用される眼科装置に関するものである。
【背景技術】
【０００２】
従来から、被検眼との位置合わせを容易に行うために、撮影光学系から分岐した光学系を設けて、その光学系中の眼底共役位置に固視目標となる視標を配置し、その視標を背後から照明して被検眼の眼底に投影するようにしている。
【０００３】
特許文献１においては、被検眼から遠い方の面の少なくとも１個所に、拡散反射領域を前眼部観察時の固視目標とした光学部材と、この光学部材を側方から照明する光源を有する前眼部観察光学系とを挿脱可能にした眼科装置が提案されている。
【０００４】
特許文献２においては、特許文献１の眼科装置を改良し、蓄光性塗料により形成した前眼部観察時の固視目標と、この固視目標を光路に挿脱する切換手段と、固視目標が光路外に離脱しているときに固視目標を照明する照明手段とを設けている。
【０００５】
本出願人による特許文献２においては、装置を簡略化するために、前眼部観察時に観察撮影光学系の眼底共役面上に拡散反射領域を有する光学部材を前眼部観察用レンズ群と共に挿脱可能に配置している。そして、光学部材を側方から照明することにより、拡散反射領域からの光を固視目標として被検眼に投影する装置を提案している。この装置は、拡散反射領域を有する光学部材を前眼部観察用レンズ群内に設け、前眼部観察時用の固視目標として使用している。
【０００６】
【特許文献１】特開平１０−１９２２４４号公報
【特許文献２】特開平１１−２２５９７０号公報
【発明の開示】
【発明が解決しようとする課題】
【０００７】
しかしながら上述の従来例においては、前眼部観察用レンズ群を光路から退避させ、前眼部観察から眼底観察に切換えた際に、被検眼に対する前眼部観察時用の固視目標の提示位置と眼底観察時用の固視目標の提示位置が異なる。従って、切換えにより被検眼の視線方向が変わり、前眼部観察時に被検眼と装置との位置を合わせても、眼底観察時に再び位置合わせを行う必要が生ずる。
【０００８】
また、集団検診等のスクリーニング検査においては、通常では視神経乳頭と黄斑部が均等に配置された眼底像を撮影するため、眼底観察に切換わった際に、視線が変化してしまうと、被検眼の固視誘導をし直す必要があり、操作が煩雑となる。また、予め眼底観察時用の固視目標を所定の検査目的に適した位置に配置していた場合には、前眼部観察から眼底観察に切換わった際に、被検者は固視目標が急に切換わってしまうため、固視目標を見失ってしまう虞れがある。
【０００９】
本発明の目的は、上述の問題点を解消し、前眼部観察と眼底観察が切換わっても、被検者が固視目標を容易に見失うことのない眼科装置を提供することにある。
【課題を解決するための手段】
【００１０】
上述の目的を達成するための本発明に係る眼科装置の技術的特徴は、光源から発した光束を被検眼の眼底に導く照明光学系と、該照明光学系により照明した眼底を少なくとも対物レンズを介して観察撮影する観察撮影光学系と、被検眼の前眼部観察時に前記対物レンズの後方の光路上に挿入する観察位置変更光学系と、被検眼が左眼か右眼かを検知する左右眼検知手段と、装置の制御を行う制御手段とを有する眼科装置において、前記観察位置変更光学系中に設けた少なくとも左眼用右眼用を含む複数の前眼部観察時用固視目標を選択的に提示可能な前眼部固視目標提示手段と、前記観察位置変更光学系が光路から離脱した際に被検眼の眼底の複数の位置に眼底観察時用固視目標を投影する眼底固視目標投影手段とを有し、前記制御手段は、前記左右眼検知手段の検知結果に応じて、前眼部観察時に前記前眼部観察時用固視目標を選択して被検眼に提示し、眼底観察時に前記選択した前眼部観察時用固視目標と光学的に略同位置に前記眼底観察時用固視目標を被検眼に提示することにある。
【発明の効果】
【００１１】
本発明に係る眼科装置によれば、前眼部観察から眼底観察に切換えた際に、右眼用固視目標又は左眼用固視目標と被検眼から見て同じ位置に、眼底観察時の眼底固視目標を提示することにより、固視目標を見失うことがなく視線が安定する。従って、固視誘導や位置合わせを再度し直す必要がなく、撮影時間の短縮や操作の煩わしさを軽減することができる。
【００１２】
また、左右眼に対応した前眼部観察時の固視目標を乳頭と黄斑部が均等になる位置、又は乳頭が中心になる位置に選択的に提示する。これにより、人間ドックや集団検診のスクリーニング又は緑内障のスクリーニング等目的に合わせた眼底像を効率的に得ることが可能となる。
【発明を実施するための最良の形態】
【００１３】
本発明を図示の実施例に基づいて詳細に説明する。
【実施例１】
【００１４】
図１は本実施例の眼底カメラの構成図である。ハロゲンランプ等の定常光を発する観察用光源１から対物レンズ２に至る照明光路中の光軸Ｌ１上には、コンデンサレンズ３、赤外光を透過し可視光を遮断するフィルタ４、ストロボ等から成る撮影用光源５、レンズ６、ミラー７が配置されている。更に、ミラー７の反射方向の光軸Ｌ２上には、リング状開口を有するリング絞り８、リレーレンズ９、中央部開口を有する孔あきミラー１０が順次に配列されている。また、孔あきミラー１０の反射方向の光軸Ｌ３上には、挿脱自在の前眼部観察光学系１１、固定の対物レンズ２が配置されている。
【００１５】
孔あきミラー１０の孔部には撮影絞り１２が配置され、この撮影絞り１２の後方の光軸Ｌ３上には、移動によりピントを調整するフォーカスレンズ１３、撮影レンズ１４、跳ね上げミラー１５、静止画像用撮像素子１６が順次に配列されている。
【００１６】
跳ね上げミラー１５の反射方向の光軸Ｌ４上には、赤外光を反射し可視光を透過するダイクロイックミラー１７、眼底観察時用固視目標１８が配列されている。この眼底観察時用固視目標１８は被検眼Ｅの眼底Ｅｒの任意の位置に、固視目標を投影するための液晶表示パネルとバックライト等から成り、静止画像用撮像素子１６と光学的に共役な位置に配置されている。ダイクロイックミラー１７の反射方向の光軸Ｌ５上には、フィールドレンズ１９、レンズ２０、観察画像用撮像素子２１が順次に配列されている。
【００１７】
また、対物レンズ２の近傍には、被検眼Ｅの前眼部を照明するための前眼部照明用光源２２が配置されている。
【００１８】
静止画像用撮像素子１６の出力は画像処理部２５を介して装置全体の制御を行う制御部２６に接続されている。また制御部２６には、観察画像用撮像素子２１、画像メモリ２７、モニタ２８、被検眼Ｅの観察部位を前眼部又は眼底を選択する観察部位選択スイッチ２９、撮影スイッチ３０が接続されている。また制御部２６には、装置光学部を保持し被検眼Ｅに対して前後左右上下に移動可能なステージ機構の左右方向の位置をマイクロスイッチ等で検知し、被検眼Ｅが左眼又は右眼を検出する左右眼検出部３１が接続されている。
【００１９】
制御部２６の出力は、前眼部観察光学系１１内の前眼部観察時固視目標を制御する固視目標光源制御部３２、眼底観察時用固視目標１８の制御を行う眼底観察時固視目標制御部３３に接続されている。また、制御部２６の出力は観察用光源１の点灯制御する観察光源制御部３４、撮影用光源５の点灯制御を行う撮影光源制御部３５、前眼部照明用光源２２を点灯制御する図示しない制御部にそれぞれ接続されている。
【００２０】
図２は前眼部観察光学系１１の拡大断面図を示しており、この前眼部観察光学系１１内にはレンズ４１の光軸上に、視標部材４２、中央部にイメージスプリットプリズムを有するプリズム４３、レンズ４４が順次に配列されている。また、視標部材４２の近傍には、視標部材４２を側方から照明する視標照明用光源４５が配置され、これら部材が一体となって光軸Ｌ３上に挿脱可能とされている。
【００２１】
図３は視標部材４２と視標照明用光源４５の側面図、図４は被検眼Ｅ側から見た正面図をそれぞれ示している。視標部材４２はコバ部である周辺部が散乱面となっている２つの半月状の透明な光学部材４２ａ、４２ｂから成り、それぞれの光学部材４２ａ、４２ｂには前眼部観察時用の固視目標５１ａ、５１ｂが設けられている。
【００２２】
これらの固視目標５１ａ、５１ｂは、視標の形状に薬剤で腐食し、そこに拡散部材である白色塗料を埋め込むことにより形成され、光軸Ｌ３上に挿入された場合に対物レンズ２、レンズ４１に関し、被検眼Ｅの眼底Ｅｒとほぼ共役になる位置に配置されている。前眼部観察光学系１１内のプリズム４３は、対物レンズ２及びレンズ４１に関して、被検眼Ｅと対物レンズ２側の作動距離が適正になると、被検眼Ｅの前眼部Ｅｐとほぼ共役になるような位置に配置されている。
【００２３】
視標照明用光源４５は２個のＬＥＤ４５ａ、４５ｂから成り、ＬＥＤ４５ａは視標部材４２の固視目標５１ａを照明し、ＬＥＤ４５ｂは固視目標５１ｂを照明する。また、視標照明用光源４５には、ＬＥＤ４５ａ、４５ｂを選択的に点灯を制御する固視目標光源制御部３２の出力が接続されている。
【００２４】
制御部２６は図示しない電源スイッチがオンされると、光軸Ｌ３上に前眼部観察光学系１１を挿入し、前眼部照明用光源２２を点灯する。更に、制御部２６は左右眼検出部３１による左眼／右眼の検出結果に応じて、固視目標光源制御部３２を制御して、ＬＥＤ４５ａ又はＬＥＤ４５ｂの何れか一方を点灯し、固視目標５１ａ又は固視目標５１ｂを照明する。
【００２５】
例えば、左右眼検出部３１が右眼を検出した場合には、ＬＥＤ４５ａが点灯され、ＬＥＤ４５ａから発した光束は、光学部材４２ａの周辺部から入射し、内部で散乱を繰り返し前眼部観察時用の固視目標５１ａを照明する。固視目標５１ａを照明した光束は散乱され、レンズ４１及び対物レンズ２によって略平行光とされた後に被検眼Ｅに達する。被検者は対物レンズ２、レンズ４１による前眼部観察時用の固視目標５１ａの像を固視することにより視線が安定する。
【００２６】
また、前眼部照明用光源２２から発した光は、被検眼Ｅの前眼部Ｅｐを照明し、反射光は対物レンズ２、前眼部観察光学系１１、撮影絞り１２、フォーカスレンズ１３、撮影レンズ１４を介して跳ね上げミラー１５により光軸Ｌ４方向に反射される。そして、ダイクロイックミラー１７により光軸Ｌ５方向に反射された後に、フィールドレンズ１９、レンズ２０を介して観察画像用撮像素子２１に結像する。制御部２６は観察画像用撮像素子２１で撮像した像をモニタ２８に映出する。
【００２７】
検者はモニタ２８に映出された被検眼前眼部Ｅｐの像を観察しながら、図示しない操作桿等を操作することにより、眼底カメラと被検眼Ｅの概略の位置合わせを行う。このとき、被検眼Ｅの視線が安定しているので、容易に位置合わせを行うことができる。
【００２８】
前眼部観察光学系１１内のプリズム４３は観察画像用撮像素子２１と光学的に略共役な位置に配置されているため、前眼部Ｅｐが観察画像用撮像素子２１と光学的共役な位置関係にないと、前眼部Ｅｐの観察像の上下は左右方向に分離されて観察されてしまう。つまり、被検眼Ｅと装置との作動距離が適正なとき、被検眼前眼部Ｅｐと観察画像用撮像素子２１は光学的に共役な位置関係となり、分離せずに１つの像となって観察される。
【００２９】
検者は眼底カメラと被検眼Ｅとの概略の位置合わせを完了させた後に、観察部位選択スイッチ２９を押す。これにより、制御部２６は前眼部観察光学系１１を図示しない挿脱手段により光軸Ｌ３外に退避させる。更に、眼底観察時固視目標制御部３３を制御し、眼底観察時用固視目標１８の液晶パネル及びバックライトを制御する。眼底観察時用固視目標１８は図５に示すように、左右２つの眼底固視目標１８ａ、１８ｂを有し、左右眼検出部３１の検出結果に応じて、例えば眼底固視目標１８ａを照明する。
【００３０】
この眼底固視目標１８ａから出射した光束は、ダイクロイックミラー１７を透過し、跳ね上げミラー１５により光軸Ｌ３の方向に偏向され、撮影レンズ１４、フォーカスレンズ１３、撮影絞り１２、対物レンズ２を介し、被検眼Ｅの眼底Ｅｒに達する。被検者は眼底Ｅｒに投影された眼底固視目標１８ａの像を固視することにより、視線を安定させることができる。
【００３１】
図６は被検眼Ｅが観察する前眼部観察時用固視目標５１ａの像である固視目標像５１ａ’の説明図を示し、図７は被検眼Ｅが観察する眼底固視目標１８ａの像である眼底固視目標像１８ａ’の説明図である。これらの前眼部観察時の固視目標像５１ａ’と眼底固視目標像１８ａ’は、被検眼Ｅから見て同じ視線方向に提示されるようになっているので、固視目標像５１ａ’に眼底固視目標像１８ａ’が代り得る。更に、その提示位置は図８に示すように、人間ドックや集団検診等のスクリーニング検査に適している乳頭Ｎと黄斑部Ｍが均等に配置された眼底像が得られるような位置に提示されている。
【００３２】
眼底観察時には、制御部２６は観察光源制御部３４を制御し、観察用光源１を点灯する。観察用光源１から射出した光束は、コンデンサレンズ３で集光され、フィルタ４において可視光をカットし赤外光のみが透過され、撮影用光源５を透過し、レンズ６、ミラー７に入射する。ミラー７により反射された反射光は、リング絞り８によりリング光束とされた後に、リレーレンズ９、孔あきミラー１０により光軸Ｌ３方向に偏向され、対物レンズ２を介して被検眼Ｅの眼底Ｅｒを照明する。
【００３３】
眼底Ｅｒに達した光束は眼底Ｅｒで反射散乱され、対物レンズ２、撮影絞り１２、フォーカスレンズ１３、撮影レンズ１４を介した後に、跳ね上げミラー１５及びダイクロイックミラー１７により光軸Ｌ５方向に偏向される。そして、フィールドレンズ１９、レンズ２０を介して観察画像用撮像素子２１に結像する。制御部２６は観察画像用撮像素子２１で撮像した眼底像をモニタ２８に映出する。
【００３４】
検者はモニタ２８に映出された眼底像を観察しながら、眼底カメラと被検眼Ｅの位置合わせの微調整を行い、図示しないフォーカスノブを廻すことによりフォーカスレンズ１３を移動させピント合わせを行う。そして、位置合わせとピント合わせが完了した後に撮影スイッチ３０を押す。
【００３５】
撮影スイッチ３０が押されると、制御部２６は跳ね上げミラー１５を光軸Ｌ３外に退避させた後に、撮影光源制御部３５を制御し、撮影用光源５をパルス発光させる。撮影用光源５から射出した光束は、観察用光源１から射出した光束と同様の経路を経て、被検眼Ｅの眼底Ｅｒを照明する。光束は眼底Ｅｒで反射散乱され、対物レンズ２、撮影絞り１２、フォーカスレンズ１３、撮影レンズ１４を経て、静止画像用撮像素子１６上に結像し撮像される。
【００３６】
制御部２６は静止画像用撮像素子１６において、撮像した眼底像を画像処理部２５によりＡ／Ｄ変換や所定の画像処理を行い、画像メモリ２７に格納すると共にモニタ２８に表示する。この際に、制御部２６は図示しない挿脱手段を介して前眼部観察光学系１１を光軸Ｌ３上に挿入する。
【００３７】
右眼の撮影が完了すると、検者は操作桿を操作し、眼底カメラを被検者の左眼方向に移動させると、左右眼検出部３１により左眼が検知される。制御部２６は固視目標光源制御部３２を制御し、ＬＥＤ４５ｂを点灯し前眼部観察時の固視目標５１ｂを照明し、被検眼Ｅに前眼部観察時用固視目標５１ｂを提示する。被検眼Ｅは提示された固視目標５１ｂの像である固視目標像５１ｂ’を固視することにより視線が安定する。
【００３８】
右眼の際と同様にして、眼底カメラと被検眼Ｅとの概略の位置合わせが完了すると、検者は観察部位選択スイッチ２９を押すと、制御部２６は前眼部観察光学系１１を光軸Ｌ３外に退避させる。更に、左右眼検出部３１の検出結果に応じて、眼底観察時固視目標制御部３３を制御し、眼底固視目標１８ｂを照明し、被検眼Ｅに眼底固視目標像１８ｂ’を提示する。
【００３９】
被検眼Ｅは提示された眼底固視目標像１８ｂ’を固視することにより視線が安定する。この後に、右眼の際と同様にして左眼の位置合わせ及びピント合わせが終了すると、検者は撮影スイッチ３０を押す。制御部２６は左眼の眼底像を画像メモリ２７に格納し、モニタ２８に表示し、再び前眼部観察光学系１１を光軸Ｌ３上に挿入する。
【００４０】
かくすることにより、前眼部観察時用固視目標５１ａ又は固視目標５１ｂから、眼底観察時の眼底固視目標１８ａ又は固視目標１８ｂに切換わっても、被検眼Ｅは固視目標を見失うことがない。更に、視線も変化しないため、眼底カメラと被検眼Ｅとの位置合わせを再度し直す必要がなく、撮影時間の短縮や操作の煩わしさを軽減することができる。
【実施例２】
【００４１】
図９は実施例２における前眼部観察光学系１１の前眼部観察時用の視標部材と視標照明用光源を被検眼側から見た正面図を示している。視標部材６１はコバ部である周辺部が散乱面となっている４つの透明な光学部材６１ａ〜６１ｄから成っている。それぞれの光学部材６１ａ〜６１ｄには、前眼部観察時用の固視目標６２ａ〜６２ｄが設けられており、これらの固視目標６２ａ〜６２ｄは、実施例１と同様に視標の形状に薬剤で腐食し、そこに拡散部材である白色塗料を埋め込むことにより形成されている。
【００４２】
また、実施例１と同様に、視標部材６１には光学部材６１ａ〜６１ｄを照明する視標照明用光源６３が設けられている。この視標照明用光源６３は固視目標６２ａ〜６２ｄを照明するためのＬＥＤ６３ａ〜６３ｄをそれぞれ有している。更に、固視目標６２ａ〜６２ｄは対物レンズ２、レンズ４１に関し、被検眼Ｅの眼底とほぼ共役になる位置に配置されている。なお、視標照明用光源６３には、ＬＥＤ６３ａ〜６３ｄを選択的に点灯する固視目標光源制御部３２の出力が接続されている。
【００４３】
図１０は被検眼Ｅが観察した前眼部観察時用の固視目標６２ａ〜６２ｄの像である固視目標像６２ａ’〜６２ｄ’の正面図である。眼底観察時用固視目標１８も、固視目標６２ａ〜６２ｄに対応して４個の眼底固視目標１８ａ〜１８ｄが設けられている。図１１は被検者が観察した眼底観察時用固視目標１８の眼底固視目標１８ａ〜１８ｄの像である眼底固視目標像１８ａ’〜１８ｄ’の正面図である。
【００４４】
これらの前眼部観察時の固視目標像６２ａ’と眼底固視目標像１８ａ’、６２ｂ’と１８ｂ’、６２ｃ’と１８ｃ’、６２ｄ’と１８ｄ’は、被検眼Ｅから見て同じ視線方向に提示されるようになっている。
【００４５】
固視目標像６２ａ’と眼底固視目標像１８ａ’は、右眼で固視した際に、図８に示すように人間ドックや集団検診等のスクリーニング検査に適している乳頭Ｎと黄斑部Ｍが均等に配置された眼底像が得られるような位置に提示される。固視目標像６２ｃ’と眼底固視目標像１８ｃ’は、右眼で固視した際に、図１２に示すように緑内障のスクリーニング検査に適している乳頭Ｎが中心に配置された眼底像が得られるような位置に提示される。
【００４６】
固視目標像６２ｂ’と眼底固視目標像１８ｂ’は、左眼で固視した際に、人間ドックや集団検診等のスクリーニング検査に適している乳頭Ｎと黄斑部Ｍが均等に配置された眼底像が得られるような位置に提示される。固視目標像６２ｄ’と眼底固視目標像１８ｄ’は、左眼で固視した際に、緑内障のスクリーニング検査に適している乳頭Ｎが中心に配置された眼底像が得られるような位置に提示されている。
【００４７】
更に、実施例２の眼底カメラは、制御部２６に乳頭Ｎと黄斑部Ｍが均等に配置された眼底像を撮影するモード、或いは乳頭Ｎを中心とする眼底像を撮影するモードかを選択することができる撮影部位選択部が設けられている。
【００４８】
例えば、装置が被検眼Ｅの右眼側にある際に、検者が撮影部位選択部を操作することにより、乳頭Ｎ中心の眼底像を撮影するモードが選択されると、制御部２６は左右眼検出部３１の検出結果により右眼側であることを検知する。制御部２６は固視目標光源制御部３２を制御し、前眼部観察時の固視目標６２ｃを照明するＬＥＤ６３ｃを点灯し、被検眼Ｅに前眼部観察時の固視目標６２ｃを提示する。
【００４９】
被検眼Ｅは図１０に示すように、ＬＥＤ６３ｃによって照明された固視目標６２ｃの像である固視目標像６２ｃ’を固視することにより、視線が安定する。そして実施例１と同様に、検者は前眼部Ｅｐを観察しながら被検眼Ｅと眼底カメラとの概略の位置合わせを完了させる。この際に、被検眼Ｅの視線が安定しているので、容易に位置合わせを行うことができる。
【００５０】
次に、検者は観察部位選択スイッチ２９を操作し眼底観察に切換えると、制御部２６は前眼部観察光学系１１を、光軸Ｌ３から退避させる。更に、左右眼検出部３１の検出結果に応じて、眼底観察時固視目標制御部３３を制御し、眼底観察時用固視目標１８の液晶パネル及びバックライトを制御する。眼底観察時用固視目標１８からの光束は、実施例１と同様に被検眼Ｅの眼底Ｅｒに達する。このとき、左右眼検出部３１で右眼が検出され、撮影部位選択部で乳頭中心の眼底像を撮影するモードが選択されている。
【００５１】
従って、図１１に示すように眼底Ｅｒに投影された眼底固視目標１８ｃの像は眼底固視目標像１８ｃ’として被検眼Ｅに提示されており、被検眼Ｅは眼底固視目標像１８ｃ’を固視することにより、視線を安定させることができる。そして、実施例１と同様に、眼底像を撮像し画像メモリ２７に格納する。
【００５２】
このように、固視目標像６２ｃ’と眼底固視目標像１８ｃ’の提示位置は、前述したように被検眼Ｅから見て同じ視線方向に提示されており、右眼で固視した際に、乳頭Ｎが中心に配置された眼底像が得られるような位置に提示される。そして、観察部位選択スイッチ２９を操作によって、前眼部観察光学系１１の光軸Ｌ３からの挿脱で、観察部位が前眼部Ｅｐから眼底Ｅｒに切換わった場合でも、被検眼Ｅは固視目標を見失うことがなく視線が安定する。
【００５３】
そのため、固視誘導や位置合わせを再度し直す必要がないので、撮影時間の短縮や操作の煩わしさを軽減することができる。更に、左右眼に対応した前眼部観察時の固視目標を乳頭Ｎと黄斑部Ｍが均等になる位置、又は乳頭Ｎが中心になる位置に選択的に提示することができる。従って、人間ドックや集団検診のスクリーニング又は緑内障のスクリーニング等の目的に合わせた眼底像を効率的に得ることが可能となる。
【００５４】
また、実施例１、２において、固視目標を乳頭Ｎと黄斑部Ｍが均等になる眼底像、乳頭Ｎが中心になる眼底像以外の所望の部位の眼底像を撮影する場合には、前眼部観察光学系１１を光路から離脱させる。これにより、前眼部観察から眼底観察に切換えた際に、前眼部観察時の固視目標像５１ａ’〜５１ｂ’、又は固視目標像６２ａ’〜６２ｄ’の何れかを提示する。次いで、選択され提示されていた前眼部観察時の固視目標像と光学的に略同じ位置に、眼底観察時の眼底固視目標１８の固視目標像１８ａ’〜１８ｄ’を一度提示する。その後に、所望の部位の眼底像が得られる位置に、眼底観察時の眼底固視目標１８を移動させるようにしてもよい。
【００５５】
以上の説明では、本発明の好ましい実施例１、２について述べたが、本発明はこれらの実施例に限定されないことは云うまでもなく、その要旨の範囲内で種々の変形及び変更が可能である。更には、本発明は眼底カメラだけでなく眼圧計、屈折計、角膜計等のその他の眼科装置に対しても実施可能である。
【図面の簡単な説明】
【００５６】
【図１】眼底カメラの構成図である。
【図２】前眼部観察光学系の拡大断面図である。
【図３】実施例１の視標部材と視標照明用光源の側面図である。
【図４】実施例１の視標部材と視標照明用光源を被検眼側から見た正面図である。
【図５】眼底観察時用固視目標の説明図である。
【図６】被検眼が観察する前眼部観察時の固視目標像の説明図である。
【図７】被検者が観察する眼底固視目標像の説明図である。
【図８】乳頭と黄斑部を均等に配置した眼底像の説明図である。
【図９】実施例２の視標部材と視標照明用光源を被検眼側から見た正面図である。
【図１０】被検眼が観察する前眼部観察時の固視目標像の正面図である。
【図１１】被検眼が観察する眼底固視目標像の正面図である。
【図１２】乳頭を中心に配置した眼底像の説明図である。
【符号の説明】
【００５７】
１  観察用光源
５  撮影用光源
１１  前眼部観察光学系
１６  静止画像用撮像素子
１８  眼底観察時用固視目標
１８ａ〜１８ｄ  眼底固視目標
２１  観察画像用撮像素子
２２  前眼部照明用光源
２６  制御部
２８  モニタ
２９  観察部位選択スイッチ
３０  撮影スイッチ
３１  左右眼検出部
４２、６１  視標部材
４２ａ、４２ｂ、６１ａ〜６１ｄ  光学部材
４５、６３  視標照明用光源
５１ａ、５１ｂ、６２ａ〜６２ｄ  前眼部観察時用固視目標
【図１】
2007275160.tif 000003
【図２】
2007275160.tif 000004
【図３】
2007275160.tif 000005
【図８】
2007275160.tif 000006
【図１２】
2007275160.tif 000007
【図４】
2007275160.tif 000008
【図５】
2007275160.tif 000009
【図６】
2007275160.tif 000010
【図７】
2007275160.tif 000011
【図９】
2007275160.tif 000012
【図１０】
2007275160.tif 000013
【図１１】
2007275160.tif 000014